(57)【特許請求の範囲】
【請求項１】
テーブルの天板の下面に取り付けられる天板側金具とテーブルの脚体の上部に取り付けられる脚側金具とを具備し、天板側金具の下面に開口した取付孔に脚側金具の上面に突設した頭部を嵌合し、天板側金具の下面から取付孔に対して斜めに貫通するネジ孔に固定ネジを螺合し、脚側金具の頭部外壁に形成した係止用斜面に固定ネジの先端を当接して、脚側金具を天板側金具の取付孔に支持固定するように構成したテーブル用脚の取付具において、
前記天板側金具は、受け金具（１）と受け金具（１）の上面に沿って移動可能に配置された挟持ブロック（３）とにより分離形成され、挟持ブロック（３）には、前記脚側金具（２）の前記頭部（１２）が嵌合される上部取付孔（１７）が形成されると共に前記固定ネジ（Ｂ１）が螺合される前記ネジ孔（１８ａ）が上部取付孔（１７）に対して斜めに貫通して形成され、
前記脚側金具（２）の前記頭部（１２）の基部の外周には、フランジ部（１０）が一体に形成され、
前記脚側金具（２）の頭部（１２）を、前記受け金具（１）に形成した下部取付孔（７）を通して前記挟持ブロック（３）に形成した前記上部取付孔（１７）に嵌合させた状態で、前記固定ネジ（Ｂ１）を、前記受け金具（１）の下方から前記挟持ブロック（３）の前記ネジ孔（１８ａ）に螺締させることにより前記頭部（１２）の係止用斜面（１２ａ）に当接せしめた時に、前記受け金具（１）の上面において移動調整位置にある前記挟持ブロック（３）と前記フランジ部（１０）との間に受け金具（１）が挟持固定される構造になることを特徴とするテーブル用脚の取付具。
【請求項２】
前記受け金具（１）は、大径円盤状に形成され、その上面には略同心状に円形の上部凹陥部（６ａ）が形成され、上部凹陥部（６ａ）の周囲は円形フランジ状の取付部（４）とされて複数の取付孔（５）が形成され、上部凹陥部（６ａ）の内部には挿入状態とされる前記頭部（１２）が移動調整可能とされるように大径とされた前記下部取付孔（７）が貫通して形成され、前記挟持ブロック（３）は、上部凹陥部（６ａ）内において移動調整可能に載置される小径の略短円柱ブロック状に形成され、挟持ブロック（３）の内部には前記頭部（１２）が下方から回り止め状態に嵌合される前記上部取付孔（１７）が形成され、挟持ブロック（３）の底部には前記ネジ孔（１８ａ）が形成されるねじブロック部（１８）が一体に突出して形成され、ねじブロック部（１８）は前記下部取付孔（７）内に移動調整可能に挿入されていることを特徴とする請求項１に記載のテーブル用脚の取付具。
【請求項３】
前記脚側金具（２）のフランジ部（１０）は、一部に切欠き凹部（１０ａ）が形成された略半円形の外形をなし、前記受け金具（１）の下面には略同心状に円形の下部凹陥部（６ｂ）が形成され、前記フランジ部（１０）が前記下部凹陥部（６ｂ）内に嵌合された状態で、前記挟持ブロック（３）の前記ネジ孔（１８ａ）に、前記切欠き凹部（１０ａ）及び前記受け金具（１）の下方を通して前記固定ネジ（Ｂ１）が螺合され、固定ネジ（Ｂ１）の先端が、前記受け金具（１）の上面に位置する前記頭部（１２）の係止用斜面（１２ａ）に当接せしめられることを特徴とする請求項１又は２に記載のテーブル用脚の取付具。
【請求項４】
前記頭部（１２）は短角柱状に形成され、前記挟持ブロック（３）に形成された前記上部取付孔（１７）は頭部（１２）が回り止め状態で嵌合される角孔状に形成され、前記下部取付孔（７）は挿通状態とされた頭部（１２）及び前記挟持ブロック（３）の前記ねじブロック部（１８）が長手方向に移動調整可能とされた長方形状に形成され、前記受け金具（１）の下面には下部取付孔（７）と長手方向に連続するように凹溝状の傾斜ガイド面（７ａ）が形成され、前記固定ネジ（Ｂ１）が傾斜ガイド面（７ａ）の下方を通してねじブロック部（１８）の前記ネジ孔（１８ａ）に螺締されることを特徴とする請求項２又は３に記載のテーブル用脚の取付具。
【請求項５】
請求項１〜４のいずれかに記載の取付具を用いて天板の下面に脚体を取付けたテーブルにおいて、前記天板の底面に取り付けられた前記天板側金具及び脚体の上部に取り付けられた前記脚側金具を介して、前記天板の下面に前記脚体が、その取付位置を移動調整可能に固定されていることを特徴とするテーブル。
【発明の詳細な説明】
【技術分野】
【０００１】
本発明は、天板と脚体とを連結するためのテーブル用脚の取付具、およびこの取付具を用いたテーブルに関するものである。
【背景技術】
【０００２】
先に本出願人は、下記特許文献１，２に示すテーブル用脚の取付金具を開発した。この取付金具は、天板の下面に形成された凹部に嵌合固定された受け具としての天板側金具と、脚体の上部に固定された脚側金具を備え、天板側金具に脚側金具の上部を嵌合し、両金具を取付ねじを介して連結することにより、取付金具を介して天板の下部に脚体を連結固定するものである。
【０００３】
これら取付金具によれば、天板に脚体を直接取付けできるため、従来の天板の下面外周に幕板を取付けた上で、その四隅に脚を取付けるなどの複雑な取付構造を必要とせず、構造的、デザイン的に簡素な構造を得ることができる利点がある。
【特許文献１】実公平４−１３６８号公報
【特許文献２】特許第２８４６５９７号公報
【発明の開示】
【発明が解決しようとする課題】
【０００４】
ところで、この種のテーブルにおける、最近の傾向としては、一例として、天板の四隅にＲ面形状などの面取り加工が施され、天板の角部に頭などの身体の一部が衝突した際の安全性に加え、柔らかな曲面によるデザインの新規性などを得るようにしている。
【０００５】
この角部の面取り加工に応じて脚体もそのＲ面形状に等しい径の丸棒状とするとともに、角部の下部に連続してほぼ一値直線状に連続した縦形状とすることが求められている。
【０００６】
ところが、天板の下面四隅に対する受け金具の埋設用の取付穴の位置に加工誤差が生じていると、脚体の上端が天板の角より外方にはみ出す場合がある。このような場合には僅かにはみ出ていたとしても見栄えが悪く、不良品と判定され、仕上げ段階での歩留り低下要因となるため、受け金具の取付穴の加工位置の精度を極めて高くする必要があった。
このような問題点は、角形天板の底部の周囲に沿って、角柱形の脚体を固定する場合にもの同様である。
【０００７】
本発明は、上記課題を解決するものであり、その目的とするところは、埋設用取付穴の加工位置に若干の誤差が生じていたとしても、取付具により取付位置誤差を修正でき、テーブル天板の下部の周囲ににほぼ一致した位置に取り付け調整可能とし、見栄え低下を防止したテーブル用脚の取付具およびテーブルを提供するものである。
【課題を解決するための手段】
【０００８】
前記目的を達成するため、本発明に係るテーブル用脚の取付具は、図の実施の形態にも示すように、テーブルの天板の下面に取り付けられる天板側金具とテーブルの脚体の上部に取り付けられる脚側金具とを具備し、天板側金具の下面に開口した取付孔に脚側金具の上面に突設した頭部を嵌合し、天板側金具の下面から取付孔に対して斜めに貫通するネジ孔に固定ネジを螺合し、脚側金具の頭部外壁に形成した係止用斜面に固定ネジの先端を当接して、脚側金具を天板側金具の取付孔に支持固定するように構成したテーブル用脚の取付具において、
前記天板側金具は、受け金具１と受け金具１の上面に沿って移動可能に配置された挟持ブロック３とにより分離形成され、挟持ブロック３には、前記脚側金具２の前記頭部１２が嵌合される上部取付孔１７が形成されると共に前記固定ネジＢ１が螺合される前記ネジ孔１８ａが上部取付孔１７に対して斜めに貫通して形成され、
前記脚側金具２の前記頭部１２の基部の外周には、フランジ部１０が一体に形成され、  前記脚側金具２の頭部１２を、前記受け金具１に形成した下部取付孔７を通して前記挟持ブロック３に形成した前記上部取付孔１７に嵌合させた状態で、前記固定ネジＢ１を、前記受け金具１の下方から前記挟持ブロック３の前記ネジ孔１８ａに螺締させることにより前記頭部１２の係止用斜面１２ａに当接せしめた時に、前記受け金具１の上面において移動調整位置にある前記挟持ブロック３と前記フランジ部１０との間に受け金具１が挟持固定される構造になることを特徴としている。
【０００９】
前記受け金具１は、大径円盤状に形成され、その上面には略同心状に円形の上部凹陥部６ａが形成され、上部凹陥部６ａの周囲は円形フランジ状の取付部４とされて複数の取付孔５が形成され、上部凹陥部６ａの内部には挿入状態とされる前記頭部１２が移動調整可能とされるように大径とされた前記下部取付孔７が貫通して形成され、前記挟持ブロック３は、上部凹陥部６ａ内において移動調整可能に載置される小径の略短円柱ブロック状に形成され、挟持ブロック３の内部には前記頭部１２が下方から回り止め状態に嵌合される前記上部取付孔１７が形成され、挟持ブロック３の底部には前記ネジ孔１８ａが形成されるねじブロック部１８が一体に突出して形成され、ねじブロック部１８は前記下部取付孔７内に移動調整可能に挿入されている。
受け金具１は、四角、三角、多角などの角形、或いは、楕円形状など、大径円盤状以外の形状としても良い。
【００１０】
前記脚側金具２のフランジ部１０は、一部に切欠き凹部１０ａが形成された略半円形の外形をなし、前記受け金具１の下面には略同心状に円形の下部凹陥部６ｂが形成され、前記フランジ部１０が前記下部凹陥部６ｂ内に嵌合された状態で、前記挟持ブロック３の前記ネジ孔１８ａに、前記切欠き凹部１０ａ及び前記受け金具１の下方を通して前記固定ネジＢ１が螺合され、固定ネジＢ１の先端が、前記受け金具１の上面に位置する前記頭部１２の係止用斜面１２ａに当接せしめられる。
【００１１】
前記頭部１２は短角柱状に形成され、前記挟持ブロック３に形成された前記上部取付孔１７は頭部１２が回り止め状態で嵌合される角孔状に形成され、前記下部取付孔７は挿通状態とされた頭部１２及び前記挟持ブロック３の前記ねじブロック部１８が長手方向に移動調整可能とされた長方形状に形成され、前記受け金具１の下面には下部取付孔７と長手方向に連続するように凹溝状の傾斜ガイド面７ａが形成され、前記固定ネジＢ１が傾斜ガイド面７ａの下方を通してねじブロック部１８の前記ネジ孔１８ａに螺締される。
【００１２】
本発明に係るテーブルは、上記の取付具を用いてテーブル天板の下面の適所に脚体を取り付けたテーブルにおいて、前記天板の下面に前記脚体が、その取付位置を移動調整可能に固定されていることを特徴としている。
【００１３】
上記取付具を用いて、テーブル天板の下面に脚体を取り付ける手順について説明する。天板３０の下面に天板側金具（受け金具１と挟持ブロック３）が嵌合される凹穴よりなる取付穴３１を形成する。取付穴３１のうち下部の大径部３１ａ内に受け金具１を嵌合固定し、下部の小径部３１ｂ内に挟持ブロック３を嵌合保持せしめる。下部の小径部３１ｂは挟持ブロック３よりも大径であって、小径部３１ｂ内で挟持ブロック３が移動調整可能である。
【００１４】
脚体２０の上端面に脚側金具２を取付固定し、脚側金具２の頭部１２を受け金具１の下部取付孔７を通して挟持ブロック３の上部取付孔１７内に嵌合させる。この状態で、天板３０に対する脚体２０の水平方向の位置をスライド移動調整させる。この時、脚体２０に取り付けられた脚側金具２の頭部１２が、挟持ブロック３とともに受け金具１の下部取付孔７内で横方向に移動調整される。頭部１２が所定の移動調整位置となった時に、挟持ブロック３のねじブロック部１８に設けたネジ孔１８ａに螺挿させた固定ネジＢ１を螺締させ、係止用斜面１２ａに当接させる。これにより、挟持ブロック３の上部取付孔１７の内壁面に対し、脚側金具２の頭部１２が押し上げられるように圧接し、脚側金具２のフランジ部１０と挟持ブロック３の間に受け金具１が挟持固定され、受け金具１が固定された天板３０の所定調整位置に脚側金具２と一体の脚体２０が固定される。
【発明の効果】
【００１５】
本発明によれば、固定ねじＢ１を緩めた状態で、テーブル天板に固定される天板側金具を構成する受け金具１と脚体が固定される狭持ブロック３が相対的に移動可能であり、固定ねじＢ１を締めた状態で、天板側の受け金具１が、狭持ブロック３と脚体上端の脚側金具のフランジ部１０との間に狭持固定されるため、脚体を天板下面に移動調整可能に固定することができ、取付位置誤差などによる見栄え低下を防止できる。
【００１６】
また、本発明によれば、固定ねじＢ１は、下部取付孔７を通じて、ねじブロック部１８のねじ孔１８ａにねじ込みできるため、最終組立工程において天板下部からの脚体の移動調整が可能となる。
【００１７】
また、本発明によれば、受け金具１に形成された上部凹陥部６ａ内で狭持ブロック３と共に脚体をスライド調整でき、微妙な調整が可能である。
【発明を実施するための最良の形態】
【００１８】
以下、本発明の実施の形態を添付図面を参照して説明する。図１〜図５は本発明に係る取付具およびこれを用いたデーブルの天板と脚体との取付け構造を示している。
【００１９】
図１、２図において、取付具は、後述する天板の下面に埋設固定される大径円盤状の受け金具１と、脚体２０の上部に埋設固定される脚側金具２と、受け金具１上に配置されるともに、脚側金具２にねじ結合される短円柱状をなす位置調整用の挟持ブロック３の３部品から分割構成されている。受け金具１と挟持ブロック３とは、天板側金具を構成する。これら各部材（受け金具１，脚側金具２，挟持ブロック３）は、金属ダイキャスト成形体或いは硬質樹脂成形体からなっており、図では省略するが、必要な部材強度を確保した上で、各部適宜な肉抜き加工が施されている。
【００２０】
受け金具１は、木ねじＢが下面側より挿通される複数のねじ取付孔５を開口した所定厚みの円盤状の取付部４と、取付部４の上面内側に同心状に形成され、狭持ブロックの着座面となる浅溝状の上部凹陥部６ａと、同じく取付部４の下面に同心状に形成され、脚側金具２の後述するフランジ部１０を嵌合する深溝状の下部凹陥部６ｂと、これら上下部凹陥部６ａ，６ｂの中央に略長方形をなして上下貫通形成された下部取付孔７とからなっており、下部取付孔７の長手方向一端は、傾斜ガイド７ａを通じて取付部４の下縁外周に連通している。
【００２１】
脚側金具２は、脚体２０の上端に設置されるとともに、その周囲に木ねじＢを挿通する１対の取付孔１１を開口した前述するフランジ部１０と、フランジ部１０の上部偏心位置に突設された角柱状の頭部１２と、フランジ部１０の下部に、頭部１２と同軸に垂設された所要長さのアンカーボルト部１４を備えている。
【００２２】
フランジ部１０は略半円状をなし、その直線部中央は、頭部１２およびアンカーボルト部１４の外周と同一面となる切欠き凹部１０ａを形成している。
【００２３】
頭部１２の切欠き凹部１０ａ側の面には、奥部に向けて斜めに傾斜する係止用斜面１２ａが形成され、これにいもねじなどからなる固定ねじＢ１の先端が所定傾斜で突き当てられるようになっている。
【００２４】
アンカーボルト部１４は、円柱の両側を切り欠いた略小判形断面であり、その両側円弧面には雄ネジ１４ａを刻設するとともに、側面の適宜位置には９０°交叉する上下１対の挿通孔１５を横設したものであり、特に図２に示すように、ボルト部１４を脚体２０の上部中心に形成されたねじ穴２１にねじ込み固定し、脚体２０の上面にフランジ部１０が位置した状態で、ピン挿通孔１５が、脚体２０の側面を貫通して形成された取付孔２３に一致するようになっている。
【００２５】
これにより、脚体２０の側面より取付孔２３に向けてピン２４を打込むことにより、アンカーボルト部１４の抜止めがなされ、次いでフランジ部１０に木ねじＢをねじ込んで脚体２０の頂部に連結することにより、脚側金具２はフランジ部１０および頭部１２を上面に突出した状態で脚体２０上に完全固定されるものとなる。なお、図２中符号２２は、脚体２０の上面に穿設された木ねじＢのねじ込み用の下穴である。
また、上記ピン２４の打込み、及び上記木ねじＢのねじ込みにより、脚体２０の取付方向性が定まる。このような脚体２０の取付方向性は、脚体２０が断面角形の角脚の場合には特に重要である。
【００２６】
挟持ブロック１３は、フランジ部１０と円弧面と同一径であり、その偏心位置には、頭部１２を嵌合する角孔状の係合孔としての上部取付孔１７が上下に貫通形成され、かつ上部取付孔１７との対向面下部には、前記下部取付孔７の長手方向に沿って移動ガイドされるねじブロック部１８が一体に突出形成され、このねじ固定ブロック部１８には下方より上方に向けて傾斜し、先端が上部取付孔１７に連通するねじ孔１８ａが形成されている。
【００２７】
ねじ孔１８ａの傾斜角度は受け金具１の傾斜ガイド面７ａの傾斜角に等しい。そして、特に図２に示すごとく、このねじ孔１８ａに固定ねじＢ１をねじ込み、その先端を頭部１２の係止用斜面１２ａに当接させるとともに、締付圧力を加えることにより、その締付け力の垂直方向分の力を作用させることにより、前記受け金具１の上下をフランジ部１０と、挟持ブロック３間で挟持するようになっている。
【００２８】
図３〜図５は以上の取付具を用いた前述の天板３０と脚体２０との取付構造を示す。図３，４において、天板３０は所要厚みであって、その角部は、前記脚体２０の径とほぼ同様の曲率半径でＲ面加工されている。
【００２９】
天板３０の下面における角部近傍位置には、断面凸形をなした取付穴３１が２段に形成されている。取付穴３１のうち下部の大径部３１ａは、特に図３の一部に拡大して示すように、受け金具１の取付部４を嵌合固定するためのものであり、複数の木ねじＢを介して受け金具１が固定される。また小径部３１ｂは挟持ブロック２を下部取付孔７に沿って移動可能に遊嵌するためのものであり、大径部３１ａの上部にこれと同心であって、上下溝部６ａ，６ｂの内径と同一内径としている。
【００３０】
受け金具１の取付にあたっては、予め挟持ブロック３を上部凹陥部６ａ上に設置し、そのねじブロック部８を下部取付孔７に遊嵌状態に嵌合した後、天板３の各辺に対し、下部取付孔７の長手方向が４５°など所定の傾きとなり、かつ下部取付孔７の傾斜ガイド７ａが角部の奧方に位置するように配置し、各木ねじＢを天板３０にねじ込むことによって、受け金具１は天板３０の下面に面一となって固定される。
【００３１】
この状態で脚体２０を天板３０の下面に取付ける。取付にあたっては、予め脚側金具２を固定した脚体２０の上端を、受け金具１の下面に挿通し、そのフランジ部４を下部側凹陥部６ｂに嵌め込み、さらに取付孔７を通じて上部に突出する頭部１２を挟持ブロック３の上部取付孔１７に差込んだ後、固定ねじＢ１を、脚体２０の上端側縁と、傾斜ガイド７ａの隙間から斜め上方に差込こんだ六角レンチ３２により締付ければ、脚側金具２のフランジ部１０と、挟持ブロックの間で受け金具１を挟持状態に固定し、図３に示すごとく、天板３０の角部下面への脚体２０の取付を完了する。
【００３２】
このとき、天板３０に対して脚体２０の取付位置調整するには、図４（ａ），（ｂ）に示すように、固定ねじＢ１が緩んでいる状態で、脚体２０を天板３０の角部に近づけたり、遠ざける操作により、挟持ブロックおよび脚側金具２のフランジ部１０の径と各溝部６ａ，６ｂとの径差ｄに応じてその最大移動調整巾がｄ×２の範囲で、取付位置調整を行うことができる。位置調整後は、固定ねじＢを締付けることにより、天板３０の角部に脚体の側面をほぼ一直線とした最終組立を完了する。なお実際の固定および調整作業は、天板３０の下面を上側とし、これに脚体２０を差込んで行うため、図とは天地逆の作業となる。
【００３３】
図５は調整時のイメージを示すものであり、破線で示すように、脚体２０が天板３０の角部から外方に突出した状態では、脚体の上面の一部が目視されてしまい、極端に見栄えが悪くなるが、この場合には脚体２０を天板３０の角部の奧方に移動調整することにより、実線で示すように、脚体２０の側面を角部Ｒ面に合致させて同一直線に納めることができるのである。
【００３４】
なお、前記実施形態において、移動調整巾ｄを大きく取りたい場合には、受け金具１の上下凹陥部６ａ，６ｂの径と、フランジ部４および挟持ブロック３との径差を大きく取ればよいことは勿論である。移動調整巾ｄは＋−１mm〜５mm程度とすることができる。
【００３５】
また、脚体２０の径が大きく、脚体２０の上部側縁と受け金具１の傾斜ガイド７ａ間に十分な隙間がとれない場合には、脚体２０の上部側縁における傾斜ガイド７ａとの対向位置に、切欠きなどを予め形成しておき、固定ねじＢ１および六角レンチ３２の挿通しろを確保すれば良い。
【００３６】
本発明の実施の態様において、脚体は、丸棒状のみならず角棒或いは多角形状の棒、板脚とすることができる。また、テーブル天板も、隅をアール状とした角天板のみならず丸天板或いは多角とアール状を組み合わせた変形天板など各種の天板に適応し得ることもちろんである。
【図面の簡単な説明】
【００３７】
【図１】（ａ）〜（ｃ）は本発明に係る取付具の部品構成を示す平面図および側面図である。
【図２】同取付具における各部品の取付関係を示す分解斜視図である。
【図３】同取付具を介して天板と脚体を取付けた状態を示す一部拡大部分を含む断面図である。
【図４】（ａ），（ｂ）は調整状態を示す平断面図である。
【図５】同調整時のイメージを示す斜視図である。
【符号の説明】
【００３８】
１  受け金具
２  脚側金具
３  挟持ブロック
４  取付部
５  取付孔
６ａ，６ｂ  上下部凹陥部
７  下部取付孔
７ａ  傾斜ガイド
１０  フランジ部
１０ａ  切欠き凹部
１２  頭部
１２ａ  係止用斜面
１４  ボルト部
１７  上部取付孔
１８  ねじブロック部
１８ａ  ねじ孔
２０  脚体
３０  天板
３１  取付穴
３２  六角レンチ
Ｂ１  取付ねじ
【図１】
0004567043.tif 000002
【図２】
0004567043.tif 000003
【図３】
0004567043.tif 000004
【図４】
0004567043.tif 000005
【図５】
0004567043.tif 000006